Podtech/llm-jp-corpus-v4-ja_patent huggingface dataset:
(57)【要約】      （修正有）【課題】微生物と生ゴミや畜糞を攪拌するための、従来のメインの攪拌羽根とは別に、固まりとなった生ゴミや畜糞を小さく粉砕するサブの攪拌羽根を儲けて、固まりとなった生ゴミや畜糞を小さく粉砕することにより、微生物が生ゴミや蓄糞に取り付く表面積が大きくなり、生ゴミや蓄糞の分解速度が速まるとともに、分解の過程で出る水分が蒸発し易い、移動式攪拌機を提供する。【解決手段】  移動式攪拌機の、微生物と生ゴミや畜糞を攪拌するための、従来のメインの攪拌羽根２とは別に、固まりとなった生ゴミや畜糞１を小さく粉砕するサブの攪拌羽根４を設ける。この小さく粉砕するサブの攪拌羽根４は、メインの攪拌羽根２が固まりとなった生ゴミや畜糞１を掻き上げる位置に設置して、高速で回転させることによって、固まりとなった生ゴミや畜糞１を小さく粉砕する。【選択図】図１
2005111466.tif 000002
【特許請求の範囲】
【請求項１】
移動式攪拌機の、微生物と生ゴミや畜糞を攪拌するための、従来のメインの攪拌羽根とは別に、固まりとなった生ゴミや畜糞を小さく粉砕するサブの攪拌羽根を儲ける。この小さく粉砕するサブの攪拌羽根を、高速で回転させることによって、固まりとなった生ゴミや畜糞は小さく粉砕され、微生物が生ゴミや畜糞に取り付く表面積が大きくなって、生ゴミや畜糞の分解速度が速まるとともに、分解の過程で出る水分が、蒸発し易いことを特長とする移動式攪拌機。
【発明の詳細な説明】
【技術分野】
【０００１】  この発明は、微生物によって生ゴミや畜糞を分解・発酵して減量させる移動式攪拌機に関する。
【背景技術】
【０００２】  従来の大量の生ゴミや畜糞を微生物によって分解・発酵して減量させるための移動式攪拌機は、図２に示すように微生物と生ゴミや畜糞１を攪拌するための、メインの羽根２は大きく、回転させるためには大きな負荷が掛かかり、比較的ゆっくりと回転させなければならず、微生物と生ゴミや畜糞１は大まかに攪拌される。
このため、粘性の強い生ゴミや畜糞１は固まりになり、微生物が取り付く表面積が小さいため、生ゴミや畜糞の分解速度が遅い。また、分解の過程で出る水分の蒸発量が少なくなり、菌床が濡れるので微生物の働きが悪くなる。
【発明の開示】
【発明が解決しようとする課題】
【０００３】  しかしながら、以上の技術によれば、大量の生ゴミを微生物によって分解・発酵して減量させるための移動式攪拌機は、微生物と生ゴミや畜糞を攪拌するための、メインの攪拌羽根は大きく、回転させるためには大きな負荷が掛かかり、比較的ゆっくりと回転させなければならず、微生物と生ゴミや畜糞が大まかに攪拌される。
このため、粘性の強い生ゴミや畜糞は固まりになり、微生物が取り付く表面積が小さくなるため、生ゴミや畜糞の分解速度が遅くなる。
また、分解の過程で出る水分の蒸発量が少なくなり、菌床が濡れるので微生物の働きが悪くなる。
そこで、この発明は、移動式攪拌機の、微生物と生ゴミや畜糞を攪拌するための、従来のメインの攪拌羽根とは別に、固まりとなった生ゴミや畜糞を小さく粉砕するサブの攪拌羽根を儲けて、固まりとなった生ゴミや畜糞を小さく粉砕することにより、微生物が生ゴミや畜糞に取り付く表面積が大きくなり、生ゴミや畜糞の分解速度が速まるとともに、分解の過程で出る水分が蒸発し易い、移動式攪拌機を提供することを課題とする。
【課題を解決するための手段】
【０００４】  以上の課題を解決するために、第一の発明は、移動式攪拌機の、微生物と生ゴミや畜糞を攪拌するための、従来のメインの攪拌羽根とは別に、固まりとなった生ゴミや畜糞を小さく粉砕するサブの攪拌羽根を儲ける。この小さく粉砕するサブの攪拌羽根を高速で回転させることによって、固まりとなった生ゴミや畜糞を小さく粉砕し、微生物が生ゴミや畜糞に取り付く表面積が大きくなり、分解速度が速まるとともに、分解の過程で出る水分が、蒸発し易いことを特長とする移動式攪拌機である。
【発明の効果】
【０００５】  以上説明したように、この発明によれば、移動式攪拌機のメインの攪拌羽根２が回転して掻き上げた、固まりになった生ゴミや畜糞１をサブの攪拌羽根４が高速に回転し、小さく粉砕することによって、微生物が取り付く表面積が大きくなり、分解速度が速まる。また、表面積が大きくなると空気に触れる面積が大きくなり、分解の過程で出る水分の蒸発量が多くなり、菌床が濡れることなく、微生物の働きは好良である。
【発明を実施するための最良の形態】
【０００６】この発明の一実施形態を、図１に示す。
移動式攪拌機のメインの攪拌羽根２が回転すると、微生物と生ゴミや畜糞１を掻き上げる。この位置に、サブの攪拌軸３とサブの攪拌羽根４を取り付け、モータ５によって、高速に回転させる。
【実施形態の効果】
【０００７】  この実施形態によれば、
移動式攪拌機のメインの攪拌羽根２が回転して掻き上げた、固まりになった生ゴミや畜糞１をサブの攪拌羽根４が高速に回転し、小さく粉砕することによって、微生物が取り付く表面積が大きくなる。
また、表面積が大きくなると空気に触れる面積が大きくなり、分解の過程で出る水分の蒸発量が多くなる。
【図面の簡単な説明】
【０００８】
【図１】この発明の一実施形態を示す斜視図である。
【図２】従来技術を示す移動式攪拌機の斜視図である。
【符号の説明】
【０００９】  １  微生物と生ゴミや畜糞  ２  メインの攪拌羽根
３  サブの攪拌軸  ４  サブの攪拌羽根  ５  モータ
【図１】
2005111466.tif 000003
【図２】
2005111466.tif 000004
(57)【要約】【課題】  岩塩の塊は扱いにくく本発明は、岩塩の原石から水溶液を抽出することを課題とする。岩塩の水溶液を抽出する装置を提供する。【解決手段】  貯蔵容器（１）に岩塩原石（２）を入れ、水やお湯をかけて溶液水（５）を抽出することを特徴とする。【選択図】  図１
2005111458.tif 000002
【特許請求の範囲】
【請求項１】
岩塩を容器に入れて、水あるいはお湯を注入することで溶液水を抽出する装置
【発明の詳細な説明】
【技術分野】
【０００１】  この発明は、岩塩の原石から溶液水を抽出する装置に関するものである。
【背景技術】
【０００２】  平成９年、塩の専売制度が緩和されたことで岩塩の輸入も可能となった。岩塩は、海水が数億年を経て地殻変動や熱で結晶化した鉱山塩ですべて国外のものである。また岩塩の分析では多種類のミネラルが含まれている。世界のほとんど（９割近く）の人が岩塩を食している。他方、医療用途やインテリア材や装飾品加工品としても利用されている。
岩塩には硫化水素や硫黄成分による酸化還元力（サビを戻す作用）があり、天然温泉と同等の成分と効能が認められるものがある。入浴に使用される岩塩は、ほとんどが原石を粉砕した顆粒か粉末状である。
【発明の開示】
【発明が解決しようとする課題】
【０００３】  入浴用岩塩は、水に溶けるとき硫黄温泉の匂いのするのが特徴である。岩塩は風呂水として利用するほか濃い水溶液で身体の患部に浸すことも有効である。岩塩の粉末は、取り扱いが簡単だが風呂には初めから投入しておくので、匂いが消えてしまい、さらに個人別な濃度の水溶液を利用することはできない。
岩塩の原石は、水に触れるたびに塊の表面が徐々に溶けて匂いの発散が持続する。水溶液を必要な人が必要な時に必要な量だけ抽出するには、岩塩の原石が適当である。しかし、岩の塊は扱いにくく一般的ではないので、これまで岩塩の原石から水溶液を抽出する方法がなかった。
本発明は、岩塩の原石から水溶液を抽出することを課題とする。
【課題を解決するための手段】
【０００４】  以上の課題を解決するために第一発明は、容器に岩塩を入れて水溶液を抽出することを特徴とする装置である。
第二発明は、容器の底に排水出口を設け岩塩原石にお湯をかけると、溶液水が排水出口から流れ出てくる。
本発明は、以上のような岩塩溶液水抽出装置である。
【発明の効果】
【０００５】  この装置は、岩塩原石を容器に入れお湯をかけることで溶けた養分が溶液水として抽出できる。
【発明を実施するための最良の形態】
【０００６】  以下、本発明の実施の形態を説明する。
（イ）岩塩貯蔵容器（１）に岩塩原石（２）をいれる。
（ロ）岩塩貯蔵容器（１）の底部には、図３のように真下の位置（その２）か、図１のように容器（１）の脇の位置（その１）に岩塩の溶液水が流れ出る取り出し口（４）を設ける
（ハ）容器（１）の底部には、岩塩原石（２）が溶けて小さくなっても容易に通過しない濾過用の網（３）を設ける。
（ニ）岩塩原石（２）にお湯をかけると岩塩が溶けて取り出し口（４）から溶液水（５）が流れてくる。【０００７】「他の実施形態」
この実施形態は、容器（１）の取り出し出口（４）から直接溶液水（５）を抽出するが、他の実施形態では溶液水（５）の流れる穴の空いた容器（１）の下に受け皿（６）を置いて、図４ように取り出し口（４）を受け皿（６）に設けてもよい。その取り出し口（４）にパイプ（７）を設けてもよい。
【産業上の利用可能性】
【０００８】  観光地の旅館、ホテルでは入浴施設の役割は大きい。最近は自然水と水道水、天然温泉と沸かし湯の区別が曖昧で問題になっている。特に水質内容を明確に表示しなければならないので対策が必要になっている。それぞれの旅館が他との差別化を図るため人工的な入浴剤や薬を投入し、付加価値を求めているところが多い。
岩塩はもともと海の塩である。近年、タラソテラピーという海水利用による自然療法が脚光を浴びている。ミネラルを含んだ天然岩塩に利用者がお湯をかけこると温泉気分や塩水療法が体験できる。また、岩塩の分析データーから溶液水の水質成分も利用者に明確に表示でき施設の信用性を増す。
【図面の簡単な説明】
【０００９】
【図１】    本発明（その１）の斜視図である。
【図２】    ａ−ａ’の断面図である。
【図３】    本発明（その２）の斜視図である。
【図４】    他の実施形態の斜視図である。
【符号の説明】
【０００１０】    （１）岩塩貯蔵容器
（２）岩塩原石
（３）複数穴の網目
（４）取り出し口
（５）溶液水
（６）受け皿
（７）パイプ
【図１】
2005111458.tif 000003
【図２】
2005111458.tif 000004
【図３】
2005111458.tif 000005
【図４】
2005111458.tif 000006
(57)【要約】      （修正有）【課題】配管の締め調整や向き調整をした時接合部が緩み不具合になり、シールテープ等を使用しても漏水する事もあり狭い所での作業が面倒であったので、シールテープ等を使用しなくても簡単に接続配管、器具取り付けが出来、漏水のない継手、器具を提供する。【解決手段】継手の内側はメスネジになっており、その外側にはオスネジになっている、給水管を接続する場合、袋ナットとスリップワッシャー、ゴムパッキン又はＯリング等を給水管に挿入、継手のメスネジに給水管をねじ込み、その外側のオスネジにゴムパッキン又はＯリング、スリップワッシャーを押付け袋ナットでねじ込んで締めつける事によって離脱及び止水が出来る継手である。【選択図】図２
2005233412.tif 000002
【特許請求の範囲】
【請求項１】
配管継手で、継手の内側はメスネジになっており、その外側にはオスネジになっている、給水管を接続する場合、袋ナットとスリップワッシャー、
ゴムパッキン又はＯリング等を給水管に挿入、継手のメスネジに給水管をねじ込み、その外側のオスネジの先端部にゴムパッキン又はＯリング、スリップワッシャーを押付け袋ナットでねじ込み、締めつける事によって離脱及び止水が出来る継手である。
【請求項２】
ストレート止水栓及びアングル止水栓の給水管との接続部が請求項１で出来ているストレート止水栓及びアングル止水栓。
【発明の詳細な説明】
【発明の詳細な説明】
【技術分野】
【０００１】  本発明は、配管に使用する継手に属するものである。
【背景技術】
【０００２】  これまでは、継手のネジ部にシールテープを巻き付け、きつく終りまで向きや長さに関係なく捻じ込んでいただけである。そして場合によっては接着剤等の溶剤を塗布していたのである。
【発明が解決しようとする課題】
【０００３】  配管の締め調整や向き調整をした時接合部が緩み不具合になり課題であった。またシールテープ等を使用しても漏水する事もあり、狭い所での作業が面倒であった、
本発明は、前期課題に着目し、原因究明し、シールテープ等を使用しなくても簡単に接続配管、器具取り付けが出来、漏水のない継手、器具を提供することを目的としたのである。
【課題を解決するための手段】
【０００４】  給水管に袋ナット、スリップワッシャー、ゴムパッキン又はＯリング等を給水管に挿入して、継手のメスネジに給水管をねじ込み、その外側のオスネジの先端部にゴムパッキン又はＯリング、スリップワッシャーを押付け袋ナットを、ねじ込み締めつける事によって離脱及び止水が狭い所でも簡単に短時間で作業が出来る継手である。
【実施例】
【０００５】  配管の作業は、場所や空間や時間や季節等さまざま違った条件で行うものでその全てに対応出来なければならないのである。中でも最終的には作業性であり時間との兼ね合いが取りざたされていたのである。
本発明は、その作業性や時間との兼ね合いを課題とし小回りの効く継手が必要と考えたものである。以下図に基づき説明する。
図１、図２、に基づいて説明する。８の給水管に４の袋ナット、３のスリップワッシャー、２のゴムリング又はＯリングを挿入、挿入された８給水管を、
１の継手のメスネジにネジ込みその外側のオスネジの先端部に２のゴムリング又はＯリング、３のスプリングワッシャーを押付け４の袋ナットをねじ込み締めつける事によって離脱及び止水が簡単に出来るのである。
図３、図４に基づいて説明する。前項の図１、図２の継手が壁にビスで固定出来るように鍔をつけた継手である。
図５の８は給水管
図６は図１の継手部をストレート止水栓に取付けた図。
図７は図１の継手部をアングル止水栓に取付けた図。
図８は図７のアングル止水栓に給水管を取付けた図。
【発明の効果】
【０００６】  以上述べたように本発明の、継手は、シールテープ等を使用しなくても簡単に接続配管、器具取付けが出来、漏水のない、締め調整や向き調整を速やかに終える事が出来、作業性が良く時間も短縮来るのである。
【図面の簡単な説明】
【図１】  本発明の継手の分解図。
【図２】  本発明の一実施例で、ストレート止水栓との接続図。
【図３】  本発明の継手に鍔をつけた分解図。
【図４】  本発明の一実施例で、鍔付き継手とアングル止水栓との接続図。
【図５】  継手と止水栓との接続する給水管の図。
【図６】  本発明の継手部を付けたストレート止水栓の分解図。
【図７】  本発明の継手部を付けたアングル止水栓の分解図。
【図８】  本発明の継手部を付けたアングル止水栓と給水管との接続図。
【符号の説明】
１    継手本体
２    Ｏリングあるいはゴムパッキン
３    スリップワッシャー
４    袋ナット
５    ストレート止水栓
６    アングル止水栓
７    鍔付き継手本体
８    給水管
【図１】
2005233412.tif 000003
【図２】
2005233412.tif 000004
【図３】
2005233412.tif 000005
【図４】
2005233412.tif 000006
【図５】
2005233412.tif 000007
【図６】
2005233412.tif 000008
【図７】
2005233412.tif 000009
【図８】
2005233412.tif 000010
(57)【要約】      （修正有）【課題】配管の保温施工において誰でも簡単にノコギリ等で切断、施工が出来、長期間耐久性を持たせ美観のある保温カバーを提供する。【解決手段】樹脂製の保温カバーでワンタッチ式のメス部とメス部に接続できるオス状の接続部を有したぬけ難い樹脂製保温カバーである。【選択図】図４
2005233411.tif 000002
【特許請求の範囲】
【請求項１】
配管の保温カバーで樹脂で出来ておりワンタッチ式に取り付けが出来ノコギリ等で切断、長さ調整して、簡単に施工できる様にした樹脂製保温カバーである。
【発明の詳細な説明】
【発明の詳細な説明】
【技術分野】
【０００１】  本発明は、配管に使用する保温カバーに属するものである。
【背景技術】
【０００２】  これまでは、ビニールキャンバスやビニールテープ等で保温材に巻き付けたり、また、カラー鋼板やステンレス製ラッキングで保温材にかぶせていた。
【発明が解決しようとする課題】
【０００３】  これまでは、ビニールキャンバスやビニールテープ等で保温材に巻き付けていたが、ビニールキャンバスは施工後、数年で劣化して、ぼろぼろにな見映えが良くなく又、ビニールテープは狭い所での施工性が悪く劣化するのはビニールテープも同じである
カラー鋼板やステンレス製ラッキングは、高価で熟練工の施工であり誰でも簡単に施工する事は出来ない。
本発明はこのような課題を克服し誰でも簡単にノコギリ等で切断施工が出来、長期間耐久性を持たせ美観のある保温カバーを提供することを目的としたのである。
【課題を解決するための手段】
【０００４】  前記目的は、配管用保温カバーで樹脂で出来ており接続部がメス部とオス部は凹凸付いており、ぬけ難くワンタッチ式に取り付けられ事によって目的が達成されるものである。
【実施例】
【０００５】  保温の作業は、場所や空間や時間や季節等さまざま違った条件で行うものでその全てに対応出来なければならないのである。中でも最終的には美観と作業性であり単価と技術の兼ね合いが取りざたされていたのである。
本発明は、その美観と作業性や単価と技術との兼ね合いを課題とし施工性の簡素化が必要と考えたものである。以下図に基づき説明する。
図１、図２、基づいて説明する。図１の１は、給湯ボイラー、２は従来のビニールキャンバス及びビニールテープ巻での保温状況、図２の１は、給湯ボイラー、３はワンタッチ式の樹脂製保温カバー取付け状況、４はワンタッチ接続部、５はワンタッチカバー用継手。
図３、４、について説明する。図３、４の６はワンタッチ式のメス部、７はメス部に接続できるオス状の接続部、８はカバー本体、図４は樹脂製保温カバーの全体図である、以上の樹脂製保温カバーで図２の様に施工する事によって簡単に施工が出来、長期間耐久性に優れ美観のある樹脂製保温カバーで、作業性が良く時間も短縮出来るのである。
【発明の効果】
【０００６】  以上述べたように本発明の、樹脂製ワンタッチ式保温カバーは、簡単にノコギリ等で切断施工が出来、長期間耐久性に優れ美観的であり、作業性が良く時間も短縮出来るのである。
【図面の簡単な説明】
【図１】旧来の一実施例で、ビニールキャンバス及びビニールテープでの施工状況
【図２】本発明の一実施例で、樹脂製ワンタッチ保温カバーでの施工図。
【図３】本発明の一実施例で、樹脂製ワンタッチ保温カバーの断面図。
【図４】本発明の一実施例で、樹脂製ワンタッチ保温カバーの概観図。
【符号の説明】
１    給湯ボイラー
２    キャンバス及びテープ巻での保温状況図
３    樹脂製ワンタッチ保温カバーの取付け状況
４    ワンタッチ接続部
５    樹脂製ワンタッチカバー用継手
６    樹脂製ワンタッチ保温カバーのメス部
７    樹脂製ワンタッチ保温カバーのメス部に接続できるオス状の接続部
８    樹脂製ワンタッチ保温カバーの全体図
【図１】
2005233411.tif 000003
【図２】
2005233411.tif 000004
【図３】
2005233411.tif 000005
【図４】
2005233411.tif 000006
(57)【要約】【課題】ショーケースとなる冷蔵室と機械室との間に段差や隙間ができないようにして塵埃が溜まったり嵌りこんだりする余地がなく、食品衛生上良好な状態を保ち得るショーケース形冷蔵庫を提供する。【解決手段】ショーケースとなる冷蔵室１２に隣接して断熱隔壁を介して機械室１４を設け、ワークサイド（調理室側）に収容商品を出し入れする扉Ｄを設けてなるショーケース形冷蔵庫１０において、上面から客席側の面に亘り、かつ、上記冷蔵室１２から機械室１４に亘って中空断熱層１９ａを形成した一体の積層ガラス板１９で覆い、上記積層ガラス板１９の機械室１４を覆う部分の内面に、不透明な断熱材２０を沿わせた構成としたものである。【選択図】図１
2005233471.tif 000002
【特許請求の範囲】
【請求項１】
ショーケースとなる冷蔵室に隣接して断熱隔壁を介して機械室を設け、ワークサイドに収容商品を出し入れする扉を設けてなるショーケース形冷蔵庫において、上面から客席側の面に亘り、かつ、上記冷蔵室から機械室に亘って中空断熱層を形成した一体の積層ガラス板で覆い、上記積層ガラス板の機械室を覆う部分の内面に、不透明な断熱材を沿わせたことを特徴とするショーケース形冷蔵庫。
【請求項２】
上記断熱材は、発泡ポリウレタン成形体からなることを特徴とする請求項１に記載のショーケース形冷蔵庫。
【発明の詳細な説明】
【技術分野】
【０００１】
この発明は、改良されたショーケース形冷蔵庫に関する。
【背景技術】
【０００２】
ショーケース形冷蔵庫１０は、図３，４に示すようにベースフレーム１１上に、ショーケースとなる冷蔵室１２部分と、この冷蔵室１２内を冷却するための冷媒圧縮機２５、図示しない凝縮機、ファンモーターなどを設置する機械室１４部分とを設けたものである。
【０００３】
上記冷蔵室１２の上面と客席側の面は、中空断熱層１９ａを形成した積層ガラス板１９で覆ってあり、機械室１４は、一般的な素材で形成したカバー１９ｘが被せられていて、上記積層ガラス板１９と上記カバー１９ｘとの突き合わせ部分には、連結用部材１９ｙを挟んで連結している。
【０００４】
また、調理室側（ワークサイド、以下同じ）は、寿司ネタなどの収容商品を出し入れできるように引き違い扉Ｄを設けている。
【発明の開示】
【発明が解決しようとする課題】
【０００５】
上記のように構成する従来のショーケース形冷蔵庫では、ショーケースとなる冷蔵室を被う積層ガラス板と機械室を被うカバーとが連結部材を挟んで連結しているので、その部分に段差あるいは隙間が生じて埃が溜まり易く、隙間に嵌り込んだ埃は掃除をしても完全に取り除くことは困難で、収容商品が寿司ネタなど生鮮魚介類であるだけに食品衛生上大きな問題である。
【０００６】
上記問題に鑑みこの発明は、上記ショーケースとなる冷蔵室と機械室との間に段差や隙間ができないようにして、塵埃が溜まったり嵌りこんだりする余地がなく、食品衛生上良好な状態を保ち得るショーケース形冷蔵庫を提供することを課題とする。
【課題を解決するための手段】
【０００７】
本発明は上記課題を解決するために、ショーケースとなる冷蔵室に隣接して断熱隔壁を介して機械室を設け、ワークサイド（調理室側）に収容商品を出し入れする扉を設けてなるショーケース形冷蔵庫において、上面から客席側の面に亘り、かつ、上記冷蔵室から機械室に亘って中空断熱層を形成した一体の積層ガラス板で覆い、上記積層ガラス板の機械室を覆う部分の内面に、不透明な断熱材を沿わせた構成としたものである。
【発明の効果】
【０００８】
上記の如く構成するこの発明によれば、ショーケースとなる冷蔵室と機械室とが中空断熱層を形成した一体の積層ガラス板で覆っているので、冷蔵室と機械室との間で段差や隙間ができないので塵埃が溜まったり、嵌りこんだりする余地がなく、食品衛生上良好な状態を維持することができ、また、繋ぎ目がないので清掃が容易に行うことができる。
【発明を実施するための最良の形態】
【０００９】
次にこの発明の実施の形態を、図１・２を参照しながら説明する。ベースフレーム１１の片端に冷蔵室１２側の側壁１３ａが、他端に機械室１４側のガラリ窓１５を有する側壁１３ｂがそれぞれ取り付けられ、ワークサイドの上下に枠体１６ａ，１６ｂが配置され、冷蔵室１２と機械室１４との境には隔壁１７と断熱壁１８が設けられている。
【００１０】
ショーケース形冷蔵庫１０の上面から客席側の面に亘り、かつ、上記ベースフレーム１１の両端に取り付けた側壁１３ａ，１３ｂに亘って、二枚の成形ガラスを重ねて中空断熱層１９ａを形成した積層ガラス板１９が被せられ、該積層ガラス板１９の機械室１４を覆っている部分の内面には発泡ポリウレタンあるいは発泡スチレン成形体の断熱材２０が宛がわれている。
【００１１】
また、上記中空断熱層１９ａを形成した積層ガラス板１９の、冷気通路２１や機械室１４など内部機構を覆う部分は、着色あるいは摺りガラス状にして目隠し２３にしている。
【００１２】
ワークサイドの上下枠体１６ａ，１６ｂには、引き違い扉のレール２４ａ，２４ｂが形成され、このレール２４ａ，２４ｂに引き違い扉Ｄが嵌められ、機械室１４には冷媒の圧縮機２５や図に表れていない凝縮機、ファンモーターが取り付けられている。
【００１３】
上記積層ガラス板１９をベースフレーム１１や枠体１６ａ，１６ｂに組み合わせ、嵌め合わせるときはその部分にシール材を介在させて冷気が漏れないよう、また、外気が冷蔵室内に侵入しないようにしてある。
【産業上の利用可能性】
【００１４】
以上説明した本発明によれば、ショーケース形冷蔵庫のショーケースとなる冷蔵室部分と機械室部分を一体の積層ガラス板で覆うことにより、覆った部分に段差や隙間がなくなって塵埃が溜まったり、嵌りこんだりする部分がなくなって食品衛生上良好な状態が維持できるようになって、該当する業界で利用が広がるものである。
【図面の簡単な説明】
【００１５】
【図１】本発明に係るショーケース形冷蔵庫の（ａ）正面図、（ｂ）図１（ａ）のＢ−Ｂ矢視図、（ｃ）同Ｃ−Ｃ矢視図
【図２】同ショーケース形冷蔵庫の（ａ）斜視図、（ｂ）積層ガラス板を除去した状態の斜視図、（ｃ）断熱材の斜視図、（ｄ）積層ガラス板の斜視図
【図３】従来例のショーケース形冷蔵庫の（ａ）正面図、（ｂ）図３（ａ）のＡ−Ａ矢視図、（ｃ）同積層ガラス板とカバーとの連結部の斜視図
【図４】同ショーケース形冷蔵庫の（ａ）斜視図、（ｂ）積層ガラス板を除去した状態の斜視図
【符号の説明】
【００１６】
１０  ショーケース形冷蔵庫
１１  ベースフレーム
１２  冷蔵室
１３ａ，１３ｂ  側壁
１４  機械室
１５  ガラリ窓
１６ａ，１６ｂ  枠体
１７  隔壁
１８  断熱壁
１９  積層ガラス
１９ａ  中空断熱層
１９ｘ  カバー
１９ｙ  連結用部材
２０  断熱材
２１  天井冷気通路
２３  目隠し
２４ａ，２４ｂ  レール
２５  冷媒圧縮機
Ｄ  引き違い扉
【図１】
2005233471.tif 000003
【図２】
2005233471.tif 000004
【図３】
2005233471.tif 000005
【図４】
2005233471.tif 000006
(57)【要約】【課題】グリルの中棚カバーを提供する。【解決手段】グリル使用時  グリルの中棚にカバーをすることにより汚れの大部分を簡単に処分できるようにしたものである。【選択図】図１
2005233593.tif 000002
【特許請求の範囲】
【請求項１】
コンロのグリルの使用時に  中棚を覆うカバーを提供するものである。
【発明の詳細な説明】
【発明の詳細な説明】
【技術分野】
【０００１】  本発明は、コンロのグリル部分の使用における汚れを防ぎ、手入れを簡単にするものである。
【背景技術】
【０００２】  従来、コンロのグリル部分で使用するカバーはなかった。
【発明が解決しようとする課題】
【０００３】  台所で使用するコンロのグリルには、中棚にカバーはなく  直接食品が乗せられ焼かれていた。その為、食品から出る油や水分などが混ざり合い  頑固な汚れとしてなって  使用後の手入れに手間がかかっていました。手入れを怠ると  こびりついた汚れとなり  金属のたわしなどでこっすても  棚の接続部分などの汚れは完全に取れず  汚れが蓄積され見にくいまま残っていた。
【課題を解決する為の手段】
【０００４】  アルミホイルで  グリル中棚に合う大きさのカバーを作る。カバーは、中棚部分に凸部分がかぶさるようにし、棚と棚の間には凹部分がはまるように作る。
従来どおり  食品を置く部分は  中棚であるが、この中棚にカバーすることによりカバーの上に食品を置くことになる。これにより中棚の金属部分につく汚れを防ぐものとする。
凹部分は  食品を焼いたときに出る油や水分などの汚れの多くが下に流れながら付着する為  これまで全て受皿に汚れがついていたのを防ぐものである。
【発明の効果】
【０００５】  カバーをすることにより  食品から出る油や水分などの汚れが  ほとんどカバーにつき  カバーの取り外しだけで大部分の汚れが取れてあとの手入れが簡単である。
【発明を実施するための最良の形態】
【０００６】以下、本発明の実施の形態について説明する。
（イ）  グリル中棚（１）に  中棚カバー（２）をおおいかぶせる。
（ロ）  凹部分（３）を設けてある。
本発明は  以上のような構成である。
これを使用するときは  グリル使用前に  グリル中棚（１）に  中棚カバー（２）を覆いかぶせ  グリル使用後は中棚かばー（２）を取り外せば良い。
【実施例１】
【０００７】図１に示すように  グリル中棚（１）に  中棚カバー（２）を覆いかぶせる。中棚部分に  中棚部分の凸部分をはめ  棚と棚の間に凹部分がはまるようにかぶせる。
グリル使用後は  中棚カバーをとりはずせばよい。
【図面の簡単な説明】
【０００８】
【図１】本発明の斜視図
【図２】本発明の一部を切り欠いた側面図
【図３】本発明の他の実施例を示す斜視図
【符号の説明】
【０００９】１、中棚カバー
２、凸部分
３、凹部分
４、グリルの中棚
【図１】
2005233593.tif 000003
【図２】
2005233593.tif 000004
【図３】
2005233593.tif 000005
(57)【要約】【課題】コンロ台座カバーを提供する。【解決手段】コンロ使用時  コンロの台座にカバーをすることにより  コンロの台座についた汚れの大部分を簡単に処理できるようにしたものである。【選択図】図１
2005233592.tif 000002
【特許請求の範囲】
【請求項１】
コンロの使用時に  コンロ台を覆うカバーを提供するものである。
【発明の詳細な説明】
【発明の詳細な説明】
【技術分野】
【０００１】  本発明は、コンロのコンロ台座部分の使用における汚れを防ぎ、手入れを簡単にするものである。
【背景技術】
【０００２】  従来、コンロのコンロ台座部分で使用するカバーはなかった。
【発明が解決しようとする課題】
【０００３】  台所で使用するコンロのコンロ台座には、カバーはなく  鍋やフライパンが乗せら煮たり炒めたり蒸されたりされている。その為、鍋やフライパンから出る油や水分などが混ざり合い  頑固な汚れとしてなって  使用後の手入れに手間がかかっていました。手入れを怠ると  こびりついた汚れとなり  金属のたわしなどでこっすても汚れは完全に取れず  汚れが蓄積され見にくいまま残っていた。
【課題を解決する為の手段】
【０００４】  アルミホイルで  コンロ台座部分が覆いかぶせるように作る。鍋やフライパンを置く立て爪部分はカバーの切れ目から通りぬけるようにカバーに切れ目をいれておく。丸型コンロ・四角型コンロ兼用で使用でき、立て爪の位置がコンロの形によりいろいろあるためそれにできるだけ対応できるよう８ヶ所に切れ目を入れたものであり、コンロ火口下の受皿カバーをも兼ねそなえたものである。
従来どおり  鍋やフライパンなどを置く部分はそのままで  コンロ台座部分が覆いかぶせるカバーによりコンロ台座の金属部分につく汚れを防ぐものとする。
【発明の効果】
【０００５】  カバーをすることにより  食品から出る油や水分などの汚れが  ほとんどカバーにつき  カバーの取り外しだけで大部分の汚れが取れてあとの手入れが簡単である。
【発明を実施するための最良の形態】
【０００６】以下、本発明の実施の形態について説明する。
（イ）  コンロ台座（１）にカバー（２）をおおいかぶせる。
本発明は  以上のような構成である。
これを使用するときは  コンロ使用前に  コンロ台座にカバーを覆いかぶせコンロを何度も使用し  カバーが見苦しいと判断した時に  カバーを新しいものと取りかえれば良い。
【実施例１】
【０００７】図１に示すように  コンロ台座（１）にカバー（２）を覆いかぶせる。
【図面の簡単な説明】
【０００８】
【図１】本発明の斜視図
【図２】本発明の他の実施例を示す斜視図
【符号の説明】
【０００９】  １、コンロ台座カバー
２、立て爪通し穴
【図１】
2005233592.tif 000003
【図２】
2005233592.tif 000004
(57)【要約】【課題】手足等を急速に暖めることのできる強制送風型ストーブを提供することを目的とする。【解決手段】中空箱体の側壁面に伸縮自在な支持ロッドまたはスライド穴を設けたストーブ用フードを装着した強制送風型ストーブ。【選択図】図３
2005233595.tif 000002
【特許請求の範囲】
【請求項１】
中空箱体の側壁面に伸縮自在な支持ロッドまたはスライド穴を設けたことを特徴とするストーブ用フード。
【請求項２】
請求項１記載のストーブ用フードを装着したことを特徴とする強制送風型ストーブ。
【発明の詳細な説明】
【技術分野】
【０００１】  本発明は、ストーブ用フードおよびそのストーブ用フードを装着した強制送風型ストーブに関する。
【背景技術】
【０００２】  近年、ストーブ類は、強制送風型のタイプが主流を占めるようになってきた。すなわち、強制送風型のストーブは、熱源として、電気、ガス、灯油等を用いて空気を暖め、この空気をファン等を用いて強制的にストーブの噴出口から排出し室内を暖めていた。そもそもストーブは室内を暖めるのが主目的であるが、場合によっては、手足のみを急速に暖める必要がある時がある。このような場合、従来のストーブは、温風排出口から排出される温風が、室内に拡散し、そのために手足を暖めるためにはストーブの排出口近傍に置かなければならず、時にはヤケド等をする欠点があった。
【発明が解決しようとする課題】
【０００３】  そこで、本発明者は、急速に手足等を暖めることのできる強制送風型のストーブについて種々検討を重ねた結果本発明を完成するに至った。
【課題を解決するための手段】
【０００４】  すなわち、本発明は、中空箱体の側壁面に伸縮自在な支持ロッドまたはスライド穴を設けてなるストーブ用フードおよびこのストーブ用フードの支持ロッドの下端部または中空箱体の側壁面スライド穴部をストーブの側壁面に回動自在に設けたことを特徴とする強制送風型ストーブである。
【発明の効果】
【０００５】  本発明のストーブ用フードを用いれば、温風を拡散することなく、送風することができるので急速に手足等を暖めることができると共に、必要がない場合には強制送風型ストーブの上部に嵌着するようにして収納することができるのでスペースをとることもなく極めて便利である。
【発明を実施するための最良の形態】
【０００６】  次に本発明を図面を参照しながら説明するが、本発明は、以下の説明のみに限定されるものではない。
図１は、本発明のストーブ用フードの一例を示す斜視図である。
本発明のストーブ用フードは、中空箱体１の両側壁面２，２′に、伸縮自在な支持ロッド３，３′を設けて構成されている。
中空箱体１は、上、下が無底のいわゆる中空形状を有し、その形状も長方形、楕円形等種々のものが採用できるが、特に強制送風型ストーブの外形に近い形状のものが好ましい。また素材としては、ダンボール、金属、難燃性合成樹脂等の種々のものが使用できる。【０００７】  中空箱体１の両側壁面２，２′には、伸縮自在な支持ロッド３，３′の上部を回動可能に設ける。この支持ロッド３，３′の取付け面は、箱体１の側壁面の外側でも内側でも良いが、好ましくは外側側壁面が最適である。【０００８】  また支持ロッド３，３′を伸縮させるための構造としては、特に限定されるものではなく、種々の手段のものが採用される。さらに支持ロッド３，３′の素材としては、合成樹脂、金属等が使用できる。【０００９】  中空箱体１の側壁面に設けられた伸縮自在な支持ロッド３，３′の下端部を強制送風型ストーブの外側側壁面に回動可能に取付ける。
また既存の強制送風型ストーブに取付ける場合には、図２に示すようにＴ字型突起具４を両面テープ５を用いて強制送風型ストーブの外側側壁面に固定し、ここに伸縮自在な支持ロッド３，３′の穴部５を挿入し、ネジではずれないように設けることもできる。【００１０】  図３は、本発明のストーブ用フードを装着したときの強制送風型ストーブの斜視図である。またストーブ用フードの中空箱体１の先端部の開口部を狭くすることによって風速が速くなり一層手足を早く暖めることができる。【００１１】  図４、図５は、ストーブ用フードの中空箱体１の先端部の開口部を狭くした斜視図である。図４は中空箱体１の先端部の開口部を折り曲げて狭くする方法であり、図５は中空箱体１の先端部の開口部を丸めて挾くし、風速を速やくして更に送風を擾乱させる方法で、より一層手足を早く暖めることができる。【００１２】  図６は、本発明の強制送風型ストーブのストーブ用フードを使用しない場合の状態を示した斜視図である。このように本発明の強制送風型ストーブはストーブ用フードを使用しないときにも収納スペースを取ることがない利点を有する。
またストーブ用フードを使用する際には、ストーブ用フードを上部に持ち上げることによって伸縮自在な支持ロッド３，３′が伸びるので、ストーブ用フードを温風排水口のところに持ってくることによって図３のように設置することができる。【００１３】  図７および図８は、本発明の側壁面のスライド穴６のあるストーブ用フードを装着したときの強制送風型ストーブの斜視図である。【００１４】  図９は、強制送風型ストーブの収納箱をそのまま、ストーブ用フードの中空箱体１に使用できる収納箱の斜視図である。収納箱にミシン線のある切り取り口を儲け、ミシン線に沿って切り取り、ストーブ用フードの中空箱体１とする。
【図面の簡単な説明】
【００１５】
【図１】本発明のストーブ用フードの斜視図
【図２】Ｔ字型突起具の側面図
【図３】ストーブ用フードを使用した状態を示す強制送風型ストーブの斜視図
【図４】中空箱体の先端部の開口部を折り曲げて狭くしたストーブ用フードを使用した状態を示す強制送風型ストーブの斜視図
【図５】中空箱体の先端部の開口部を丸めて狭くしたストーブ用フードを使用した状態を示す強制送風型ストーブの斜視図
【図６】ストーブ用フードを収納した状態を示す強制送風型ストーブの斜視図
【図７】側壁面のスライド穴のあるストーブ用フードを使用した状態を示す強制送風型ストーブの斜視図
【図８】側壁面のスライド穴のあるストーブ用フードを収納した状態を示す強制送風型ストーブの斜視図
【図９】ストーブ用フードとして使用する強制送風型ストーブの収納箱の斜視図
【符号の説明】
【００１６】１‥‥‥‥‥中空箱体
３，３′‥‥伸縮自在な支持ロッド
６‥‥‥‥‥スライド穴
【図１】
2005233595.tif 000003
【図２】
2005233595.tif 000004
【図３】
2005233595.tif 000005
【図４】
2005233595.tif 000006
【図５】
2005233595.tif 000007
【図６】
2005233595.tif 000008
【図７】
2005233595.tif 000009
【図８】
2005233595.tif 000010
【図９】
2005233595.tif 000011
(57)【要約】【課題】  従来の銃砲身等は、その内壁或いは外部等を経由して、弾丸等装填時の薬莢等の先端から弾丸等の先端付近まで銃砲身内の空気等の排除のための発射ガスの通路が設けられていないため、発砲時、銃砲身内にある空気等は急激に圧縮されつつ銃砲口から排出され衝撃音となて四方に発散する。このため弾丸等に与えられた発射薬の爆発エネルギーの一部はこの衝撃音発生エネルギー等として浪費され、発射された弾丸の初速を減少させるとともに発射音等が大きいという重大な不具合がある。【解決手段】  銃砲身等の内壁或いは外部を経由して弾丸等装填時の薬莢等の先端付近から弾丸等の先端付近まで発射ガスの通路を設け、発砲時に発射ガスの一部はこの通路を通り弾丸等の動きよりも早く弾丸等の先端付近に達し、銃砲身内にある空気等を排除するとともに、銃口等へ向かう発射ガス等に急激な流れを生じさせ銃砲身内を負圧にすることにより、発砲時の弾丸等の初速を増大させるとともに発射音等を減少させるための発射ガス通路を設けた銃砲身とする。【選択図】  図１
2005233591.tif 000002
【特許請求の範囲】
【請求項１】
銃砲身等の内壁或いは外部等を経由して弾丸等装填時の薬莢等の先端付近から弾丸等の先端付近まで発射ガスの通路を設け、発砲時に発射ガスの一部はこの通路を通り弾丸等の動きよりも早く弾丸等の先端付近に達し、銃砲身内にある空気等を排除するとともに、銃口等へ向かう発射ガス等に急激な流れを生じさせ銃砲身内を負圧にすることにより、発砲時の弾丸等の初速を増大させるとともに発射音等を減少させるための発射ガス通路を設けた銃砲身
【発明の詳細な説明】
【技術分野】
【０００１】  本発明は、銃砲身等の内壁或いは外部等を経由して弾丸等装填時の薬莢等の先端付近から弾丸等の先端付近まで発射ガスの通路を設け、発砲時に発射ガスの一部はこの通路を通り弾丸等の動きよりも早く弾丸等の先端付近に達し、銃砲身内にある空気等を排除するとともに、銃口等へ向かう発射ガス等に急激な流れを生じさせ銃砲身内を負圧にすることにより、発砲時の弾丸等の初速を増大させるとともに発射音等の減少を図るものです。
【背景技術】
【０００２】  従来の銃砲身等には、発射ガスの一部を弾丸等の前方へ送る通路が設けれていないため、発砲時、銃砲身等内にある空気等は急激に圧縮されつつ銃口等から排出され衝撃音等となって四方に発散する。このため弾丸等に与えられた発射薬の爆発エネルギーの一部はこの衝撃音発生エネルギー等として浪費され、発射された弾丸等の初速が減少してしまうとともに発射音等が大きいと考えられる。
【特許文献１】  不明
【非特許文献１】  不明
【発明の開示】
【発明が解決しようとする課題】
【０００３】  従来の銃砲身等には、発砲時、発射ガスの一部を弾丸等の前方へ送る通路が設けれていないため、発砲時、銃砲身等内にある空気等は急激に圧縮されつつ銃口等から排出され衝撃音等となって四方に発散する。このため弾丸等に与えられた発射薬の爆発エネルギーの一部はこの衝撃音発生エネルギー等として浪費され、発射された弾丸等の初速が減少するとともに発射音等が大きいという重大な不具合がある。
【課題を解決するための手段】
【０００４】  銃砲身等の内壁或いは外部等を経由して弾丸等装填時の薬莢等の先端付近から弾丸弾等の先端付近まで施錠等に沿って或いは銃砲身等に平行等に適当な形状の通路を設け、発射ガスの一部が通過できるようにし、発砲時、発射ガスの一部はこの通路を通り弾丸等の動きよりも早く弾丸等の先端付近に達し、銃砲身等内にある空気等を排除するとともに、銃口等へ向かう発射ガス等に急激な流れを生じさせ銃砲身等内に負圧を与えることにより、発砲時の弾丸等の初速を増大させるとともに発射音等を減少させる。
【発明の効果】
【０００５】  このように、銃砲身等の内壁或いは外部等を経由して発射ガスの一部を通す通路を設けておけば、発砲時、発射ガスの一部はこの通路を通り弾丸等の動きよりも早く弾丸等の先端付近に達し、銃砲身等内にある空気等を排除するとともに、銃口等へ向かう発射ガス等に急激な流れを生じさせ銃砲身等内に負圧を与えることにより、発砲時の弾丸等の初速を増大させるとともに発射音等を減少させることができる。
【発明を実施するための最良の形態・実施例】
【０００６】  この銃砲身等の製作に当たっては、通常の銃砲身等の内壁或いは外部を経由して弾丸等装填時の薬莢の先端付近から弾丸の先端付近まで、施錠に沿って或いは銃砲身に平行等に適当な形状、大きさ数の溝状の発射ガスの通路を設ければよい。但し、最大の効果を発揮させるためにはこの通路の大きさ、長さ、形状、数等を微妙に調節する必要があると考える。
使用に当たっては従来のものとほぼ同様であり特に問題はないと考えられる。
【図面の簡単な説明】
【図１】  弾丸を装填した場合の銃砲身の例で、側面図であり、概念図である。
【図２】  弾丸を装填した場合の銃砲身の例で、切断図であり、概念図である。
【符号の説明】
１  発射ガス通路
２  銃砲身
３  弾丸
４  薬莢
５  尾栓
【図１】
2005233591.tif 000003
【図２】
2005233591.tif 000004
【手続補正書】
【提出日】平成16年7月12日(2004.7.12)
【手続補正１】
【補正対象書類名】明細書
【補正対象項目名】０００４
【補正方法】変更
【補正の内容】
【０００４】  銃砲身等の内壁或いは外部等を経由して弾丸等装填時の薬莢等の先端付近から弾丸等の先端付近まで施錠等に沿って或いは銃砲身等に平行等に適当な形状の通路を設け、発射ガスの一部が通過できるようにし、発砲時、発射ガスの一部はこの通路を通り弾丸等の動きよりも早く弾丸等の先端付近に達し、銃砲身等内にある空気等を排除するとともに、銃口等へ向かう発射ガス等に急激な流れを生じさせ銃砲身等内に負圧を与えることにより、発砲時の弾丸等の初速を増大させるとともに発射音等を減少させる。
【手続補正書】
【提出日】平成17年1月13日(2005.1.13)
【手続補正１】
【補正対象書類名】明細書
【補正対象項目名】０００４
【補正方法】変更
【補正の内容】
【０００４】  銃砲身等の内壁或いは外部等を経由して弾丸等の装填時の薬莢等の先端付近から弾丸等の先端付近まで施条等に沿って或いは銃砲身等に平行等に適当な形状の通路を設け、発射ガスの一部が通過できるようにし、発砲時、発射ガスの一部はこの通路を通り弾丸等の動きよりも早く弾丸等の先端付近に達し、銃砲身等内にある空気等を排除するとともに、銃口等へ向かう発射ガス等に急激な流れを生じさせ銃砲身等内に負圧を与えることにより、発砲時の弾丸等の初速を増大させるとともに発射音等を減少させる。
【手続補正２】
【補正対象書類名】明細書
【補正対象項目名】０００６
【補正方法】変更
【補正の内容】
【０００６】  この銃砲身等の製作に当たっては、通常の銃砲身等の内壁或いは外部等を経由して弾丸等の装填時の薬莢等の先端付近から弾丸等の先端付近まで、施条に沿って或いは銃砲身等に平行等に適当な形状、大きさ、長さ、数の溝状或いは管状等の発射ガスの通路を設ければよい。但し、最大の効果を発揮させるためには、この通路の形状、大きさ、長さ、数等を微妙に調節する必要があると考える。
使用に当たっては従来のものとほぼ同様であり、特に問題点はないと考える。
(57)【要約】【課題】  空気調和機用等に使用され、伝熱フィンの段方向の長さが大きく伝熱管の段数の多い多通路クロスフィンチュ−ブ式熱交換器において、所定の段位置により伝熱管の熱交換器用脇板貫通部を心円穴とバ−リング穴の穴径を区別することにより空気調和機等の冷熱繰り返し運転に伴う上下段数段部の伝熱管と熱交換器用脇板の間で発生する擦過摩耗を回避する構造を提供する。【解決手段】  所定の段位置により伝熱管の熱交換器用脇板貫通部を心円穴とバ−リング穴の穴径を区別する。【効果】  伝熱フィンの段方向の長さが大きく伝熱管の段数の多い多通路クロスフィンチュ−ブ式熱交換器の信頼性を向上する。【選択図】  図１
2005233524.tif 000002
【特許請求の範囲】
【請求項１】
空気調和機用等に使用され、任意の間隔で複数枚平行に配列されその間を空気が流通する伝熱フィンと、該伝熱フィンに複数の段間隔や複数の列間隔で直交して配置され、内部を冷媒が流動する伝熱管から構成される多通路クロスフィンチュ−ブ式熱交換器の左端もしくは右端片側部に直角に挿入される熱交換器用脇板の伝熱管貫通部構造を、伝熱管とは接触しない心円穴を上下段数段部に配置し、伝熱管とは接触するバ−リング穴もしくは心円穴を上下段数段部以外の中央部に配置する構造を特徴とする、空気調和機の熱交換器用脇板。
【発明の詳細な説明】
【技術分野】
【０００１】
本発明は空気調和機等に使用され、熱交換器用脇板の伝熱管貫通部の構造に係わり、これを備えた伝熱フィンの段方向の長さが大きく伝熱管の段数の多い多通路クロスフィンチュ−ブ式熱交換器に関する。
【背景技術】
【０００２】
複数の段間隔、かつ複数の列間隔で伝熱管を貫通させるために設けられた熱交換器用脇板の穴は、伝熱管を拡管して伝熱フィンに密着させる際に該穴の外周で伝熱管を損傷しないようにバ−リング穴もしくは端部バリを除いた心円穴となっており、所定の段位置によりいずれの穴径についても差異は設けていない。
【０００３】
一例として、特開２００３−９７８９６号公報がある。
【０００４】
【特許文献１】特開２００３−９７８９６号公報
【発明の開示】
【発明が解決しようとする課題】
【０００５】
空気調和機の運転においては、室内機の冷房運転時を例にすると熱交換器伝熱管内を流動する冷媒温度は約−５℃〜１５℃、室内温度制御により運転停止時には該伝熱管は室内吸込み温度約１８℃〜３０℃に触れることになる。また該伝熱管と密着している伝熱フィンについても前記と同様な冷熱が繰り返される。このため伝熱管と伝熱フィンの熱による伸縮量は前記両者の温度差および伝熱フィンの長さに比例して大きくなる。伝熱管は段方向とは直交する方向に、伝熱フィンは段方向に熱による伸縮が生じるが、伝熱フィンの段方向の長さが大きく伝熱管の段数の多い熱交換器においては、上下段部の伝熱フィンの熱伸縮の変位が他段部よりも大きくなるため、伝熱管と熱交換器用脇板の接触が大きくなり、そのため冷熱の繰り返しにより擦過摩耗され、熱交換器用脇板より伝熱管の材料硬度が小さい場合、伝熱管が金属疲労により亀裂を生じ冷媒漏れに至る場合がある。
【０００６】
前記伝熱フィンの段方向の長さが大きく伝熱管の段数の多い多通路クロスフィンチュ−ブ式熱交換器において、上下段数段部の伝熱管と熱交換器用脇板の間で発生する擦過摩耗を回避する熱交換器用脇板の構造を提供する。
【課題を解決するための手段】
【０００７】
所定の段位置により伝熱管の熱交換器用脇板貫通部を心円穴とバ−リング穴の穴径を区別することにより空気調和機の冷熱繰り返し運転に伴う上下段数段部の伝熱管と熱交換器用脇板の間で発生する擦過摩耗を回避する。
【発明の効果】
【０００８】
上下段数段部分の熱交換器用脇板の伝熱管貫通部を心円穴に、上下段数段部以外の中央部をバ−リング穴とすることにより上下段数段部の伝熱管と熱交換器用脇板間で発生する擦過摩耗を回避し、前記を備える多通路クロスフィンチュ−ブ式熱交換器の信頼性を向上する。
【発明を実施するための最良の形態】
【０００９】
従来技術の実施形態を図２に示す。
【００１０】
伝熱管２の熱交換器用脇板３貫通部はバ−リング穴もしくは心円穴となっており、伝熱管２を伝熱フィン１側から熱交換器用脇板３を貫通するまで内径拡管し、伝熱フィン１と熱交換器用脇板３の各々に密着させている。
【００１１】
前記空気調和機の冷熱繰り返し運転に伴い、特に上下段数段部の伝熱管２と熱交換器用脇板３の間で大きな擦過摩耗が発生していた。
【００１２】
本発明の実施形態を図１に示す。
【００１３】
上下段数段部の伝熱管２の熱交換器用脇板３貫通部には内径拡管した伝熱管２と接触しないような心円穴径Ｌ１の穴を設け、上下段数段部以外の中央部には伝熱管２と接触するバ−リング穴もしくは心円穴を配置した構造とすることにより伝熱管２と熱交換器用脇板３の接触が無くなり、空気調和機の冷熱繰り返し運転に伴う伝熱管２と熱交換器用脇板３の間で発生する擦過摩耗を回避することができる。
【図面の簡単な説明】
【００１４】
【図１】本発明による熱交換器用脇板の上下段数段部分の伝熱管貫通部の断面図。
【図２】従来の熱交換器用脇板の伝熱管貫通部の断面拡大図。
【符号の説明】
【００１５】
１…伝熱フィン、２…伝熱管、３…熱交換器用脇板、Ｌ１…上下段数段部の熱交換器用脇板の心円穴径。
【図１】
2005233524.tif 000003
【図２】
2005233524.tif 000004